(57)【要約】【課題】フリッカが十分に抑制された表示装置を製造する方法を提供する。【解決手段】表示領域ＤＲに、黒色表示部と中間色表示部とがソースラインの延びる方向に沿って千鳥状に配列されたフリッカパターンを表示した状態で、フリッカが最小となるように上部共通電極に印加する電圧の直流レベルを調整する。【選択図】図４
2007171358.tif 000002
【特許請求の範囲】
【請求項１】
相互に並行に延びる複数のソースラインと、該複数のソースラインに交差して相互に並行に延びる複数のゲートラインと、それぞれ該ソースラインと該ゲートラインとに電気的に接続された複数のスイッチング素子と、それぞれ該スイッチング素子に電気的に接続され、表示領域に所定配列で配列された複数の画素電極とを有するアクティブマトリクス基板と、
上記複数の画素電極に対向して設けられた上部共通電極を有する対向基板と、
上記複数の画素電極と上記上部共通電極との間に設けられた表示媒体層と、
を備え、
１又は複数の上記ゲートライン毎に、該ゲートラインに上記スイッチング素子を介して電気的に接続された上記画素電極の極性が交互に異なるように上記ソースラインに電圧を印加して駆動される表示装置の製造方法であって、
上記表示装置は、上記ゲートラインの延伸方向に列ぶ第１の表示領域および第２の表示領域を有し、
あるフレームにおいて、上記ソースラインの基端側から奇数番目のゲートラインに上記スイッチング素子を介して電気的に接続された画素電極のうち、上記第１の表示領域に位置する画素電極に黒表示をするための黒電圧を印加すると共に、上記第２の表示領域に位置する画素電極に中間調表示をするための一方の極性の中間調電圧を印加し、且つ、上記ソースラインの基端側から偶数番目のゲートラインに上記スイッチング素子を介して電気的に接続された画素電極のうち、上記第１の表示領域に位置する画素電極に他方の極性の中間調電圧を印加すると共に、上記第２の表示領域に位置する画素電極に黒電圧を印加し、
上記あるフレームの次のフレームにおいて、上記奇数番目のゲートラインに上記スイッチング素子を介して電気的に接続された画素電極のうち、上記第１の表示領域に位置する画素電極に黒表示をするための黒電圧を印加すると共に、上記第２の表示領域に位置する画素電極に中間調表示をするための他方の極性の中間調電圧を印加し、且つ、上記偶数番目のゲートラインに上記スイッチング素子を介して電気的に接続された画素電極のうち、上記第１の表示領域に位置する画素電極に一方の極性の中間調電圧を印加すると共に、上記第２の表示領域に位置する画素電極に黒電圧を印加することによりフリッカパターンを表示した状態で、該フリッカパターンが最小となるように上記上部共通電極に印加する電圧の大きさを調節することを特徴とする表示装置の製造方法。
【請求項２】
請求項１に記載された表示装置の製造方法において、
上記第１の表示領域および上記第２の表示領域は、相互に略同じ表示面積を有することを特徴とする表示装置の製造方法。
【請求項３】
請求項１に記載された表示装置の製造方法において、
上記表示装置は、上記ゲートライン毎に、該ゲートラインに上記スイッチング素子を介して電気的に接続された上記画素電極の極性が交互に異なるように上記ソースラインに電圧を印加して駆動されることを特徴とする表示装置の製造方法。
【請求項４】
請求項１に記載された表示装置の製造方法において、
上記スイッチング素子は薄膜トランジスタ素子であることを特徴とする表示装置の製造方法。
【請求項５】
請求項１に記載された表示装置の製造方法において、
上記表示媒体層は液晶層であることを特徴とする表示装置の製造方法。
【発明の詳細な説明】
【技術分野】
【０００１】
本発明は表示装置の製造方法に関する。詳細には、複数のスイッチング素子が配置されたアクティブマトリクス基板を備えた表示装置の製造方法に関する。
【背景技術】
【０００２】
液晶層などの表示媒体層に直流電圧が印加されると信頼性の問題が生じることが従来から知られている。このため、一般的に、表示媒体層を備えた表示装置の駆動は交流によって行われ、且つ、表示媒体層に直流電圧成分が印加されないように、外部から印加する信号の直流レベルは表示装置の特性に応じて調整されている。
【０００３】
例えば、１Ｈ反転駆動される液晶表示装置における、上部共通電極（対向電極）の印加電圧の直流レベルの調整方法として、フリッカ画面を利用した方法（本明細書において、この調整方法を「フリッカ調整法」と称呼することとする。）が知られている（例えば、特許文献１等）。具体的に、フリッカ調整法とは、一方の極性の画素電極を黒表示すると共に、他方の極性の画素電極を中間調表示することにより、擬似的に中間調のフレーム反転駆動のような表示状態を再現し、その状態においてフリッカが最小となるように上部共通電極に印加する電圧を調節する方法である。
【特許文献１】特開平７−７２４５６号公報
【発明の開示】
【発明が解決しようとする課題】
【０００４】
フリッカ調整法では、例えば、ノーマリーブラックの液晶表示装置の場合、偶数フレームの奇数番目のゲートライン（垂直奇数ライン）に対応するタイミングにはソースラインに電圧を印加せず（すなわち、黒を表示させるためにソースラインの電位を０Ｖとし）、偶数番目のゲートライン（垂直偶数ライン）に対応するタイミングにはソースラインに中間調表示をするためのプラス電圧を印加する。次の奇数フレームの垂直奇数ラインに対応するタイミングにはソースラインに電圧を印加せず、一方、垂直偶数ラインに対応するタイミングにはソースラインに中間調表示をするためのマイナス電圧を印加する。このため、ドライバや電源回路は１フレーム期間に亘って同一極性の電圧を維持し続けなければならない。従って、これらドライバや電源回路に偏った負荷がかかり、フリッカ調整時の基準電圧のＤＣレベルと画像表示時の（１Ｈ反転駆動時の）基準電圧のＤＣレベルとの間に差が生じる。画像表示時の基準電圧のＤＣレベルからずれたＤＣレベルの基準電圧においてフリッカ調整法を行ったとしても、精密且つ正確にフリッカ調整を行うことができない。このため、フリッカが十分に抑制された液晶表示装置を得ることが困難であるという問題がある。
【０００５】
本発明は係る点に鑑みてなされたものであり、その目的とするところは、フリッカが十分に抑制された表示装置を製造する方法を提供することにある。
【０００６】
尚、上述の問題は液晶表示装置に特有の問題ではなく、アクティブマトリクス基板を備えた表示装置（例えば、有機・無機エレクトロルミネッセンス表示装置やプラズマ表示装置等）に共通した問題である。
【課題を解決するための手段】
【０００７】
本発明に係る製造方法は、アクティブマトリクス基板と、対向基板と、表示媒体層とを備え、１又は複数のゲートライン毎に、ゲートラインにスイッチング素子を介して電気的に接続された画素電極の極性が交互に異なるようにソースラインに電圧を印加して駆動される表示装置（すなわち、１Ｈ反転駆動、又はｎＨ反転駆動（ｎ≧２）される表示装置）を製造するための方法である。アクティブマトリクス基板は、相互に並行に延びる複数のソースラインと、複数のソースラインに交差して相互に並行に延びる複数のゲートラインと、それぞれソースラインとゲートラインとに電気的に接続された複数のスイッチング素子と、それぞれスイッチング素子に電気的に接続され、表示領域に所定配列で配列された複数の画素電極とを有する。対向基板は複数の画素電極に対向して設けられた上部共通電極（対向電極）を有する。表示媒体層は複数の画素電極と上部共通電極との間に設けられている。表示装置は、ゲートラインの延伸方向に列ぶ第１および第２の表示領域を有する。
【０００８】
本発明に係る製造方法は、あるフレームにおいて、ソースラインの基端側から奇数番目のゲートラインにスイッチング素子を介して電気的に接続された画素電極のうち、上記第１の表示領域に位置する画素電極に黒表示をするための黒電圧を印加すると共に、上記第２の表示領域に位置する画素電極に中間調表示をするための一方の極性の中間調電圧を印加する。且つ、ソースラインの基端側から偶数番目のゲートラインにスイッチング素子を介して電気的に接続された画素電極のうち、上記第１の表示領域に位置する画素電極に他方の極性の中間調電圧を印加すると共に、上記第２の表示領域に位置する画素電極に黒電圧を印加する。そして、次のフレームにおいて、奇数番目のゲートラインにスイッチング素子を介して電気的に接続された画素電極のうち、上記第１の表示領域に位置する画素電極に黒表示をするための黒電圧を印加すると共に、上記第２の表示領域に位置する画素電極に中間調表示をするための他方の極性の中間調電圧を印加する。且つ、偶数番目のゲートラインにスイッチング素子を介して電気的に接続された画素電極のうち、上記第１の表示領域に位置する画素電極に一方の極性の中間調電圧を印加すると共に、上記第２の表示領域に位置する画素電極に黒電圧を印加することによりフリッカパターンを表示させる。そして、そのフリッカパターンを表示させた状態で、フリッカパターンが最小となるように上部共通電極に印加する電圧の大きさを調節することを特徴とする。
【０００９】
このように、第１の表示領域と第２の表示領域のうち、一方の表示領域においてはソースラインの延びる方向に沿って黒表示と正の中間調表示が交互に現れ、他方の表示領域においてはソースラインの延びる方向に沿って黒表示と負の中間調表示が交互に現れるフリッカパターンを表示させることにより、表示領域全体に黒表示と正または負のどちらかの中間調表示が交互に現れるストライプ状のフリッカパターンを表示させた場合よりも、フリッカパターンを表示させることによりドライバや電源回路に加わる、偏った負荷を低減することができる。このため、フリッカ調整時の基準電圧のＤＣレベルと画像表示時の（１Ｈ反転駆動時の）基準電圧のＤＣレベルとの差を低減することができる。従って、精密且つ正確なフリッカ調整を行うことができるので、フリッカが十分に抑制された液晶表示装置を製造することができる。尚、上記第１の表示領域および第２の表示領域を略同じ表示面積を有するようにすることで、ドライバや電源回路に加わる負荷の偏りがさらに低減するため、フリッカ調整の精度をさらに向上させることができる。
【００１０】
尚、スイッチング素子は、例えば、薄膜トランジスタ（ＴＦＴ）素子、ＴＦＤ（Ｔｈｉｎ  ｆｉｌｍ  ｄｉｏｄｅ）素子、ＭＩＭ（Ｍｅｔａｌ−Ｉｎｓｕｌａｔｏｒ−Ｍｅｔａｌ）ダイオード素子等であってもよい。
【００１１】
また、本明細書において「表示媒体層」とは、互いに対向する電極間の電位差により光透過率又は光反射率が変調される層、若しくは互いに対向する電極間を流れる電流により自発光する層をいう。表示媒体層の具体例としては、例えば、液晶層、無機または有機エレクトロルミネッセンス層、発光ガス層、電気泳動層、エレクトロクロミック層等が挙げられる。
【００１２】
また、「フリッカが最小となる」場合とは、表示領域を目視した場合に、フリッカが最も目立たなくなると判断される場合のことをいう。
【発明の効果】
【００１３】
以上説明したように、本発明によれば、フリッカ調整時における基準電圧のＤＣレベルの変位を抑制することができるため、フリッカが十分に抑制された表示装置を製造することができる。
【発明を実施するための最良の形態】
【００１４】
以下、本発明の実施形態について、図面を参照しながら詳細に説明する。
【００１５】
図１は本実施形態に係る液晶表示装置１の主要部材の構成を表す図である。
【００１６】
図２は図１中の点線ＩＩで囲われた部分の拡大図である。
【００１７】
図３は液晶表示装置１の正面図である。
【００１８】
本実施形態に係る液晶表示装置１は、アクティブマトリクス基板とアクティブマトリクス基板に対向して配置された対向基板と、アクティブマトリクス基板と対向基板との間に設けられた液晶層とを有する。アクティブマトリクス基板には、複数のゲートライン１０と、複数のソースライン１１とが設けられている。複数のゲートライン１０と複数のソースライン１１との交点近傍のそれぞれには、ゲートライン１０及びソースライン１１の双方に電気的に接続されたスイッチング素子（例えばＴＦＴ素子）１２が設けられている。
【００１９】
アクティブマトリクス基板の表面には、表示領域ＤＲに所定配列で配列された複数の画素電極１３が配置されている。複数の画素電極１３のそれぞれはスイッチング素子１２に電気的に接続されており、そのスイッチング素子１２を介して、ソースライン１１から画素電極１３に電圧が印加される仕組みになっている。
【００２０】
一方、対向基板には、アクティブマトリクス基板の表面に設けられた画素電極１３に対向するように上部共通電極（対向電極）が設けられている。液晶層はこの上部共通電極と画素電極１３との間に設けられている。
【００２１】
各ゲートライン１０は走査側駆動回路１４に接続されている。走査側駆動回路１４は、各ゲートライン１０が接続された走査側ドライバ１５と、その走査側ドライバ１５が接続された走査側制御回路１６とにより構成されている。走査側ドライバ１５は、さらに書き込み駆動電源回路２０にも接続されている。書き込み駆動電源回路２０は、走査側ドライバ１５に接続された書き込み駆動電圧生成回路２１と、その書き込み駆動電圧生成回路２１に接続された書き込み電源回路２２とにより構成されている。一方、走査側制御回路１６は駆動制御回路２６に接続されている。
【００２２】
各ソースライン１１はデータ側駆動回路１７に接続されている。データ側駆動回路１７は、各ソースライン１１が接続されたデータ側ドライバ１８と、そのデータ側ドライバ１８が接続されたデータ側制御回路１９とにより構成されている。データ側ドライバ１８は、さらに変調駆動電源回路２３にも接続されている。変調駆動電源回路２３は、データ側ドライバ１８が接続された変調電圧選択回路２４と、その変調電圧選択回路２４が接続された変調電源回路２５とにより構成されている。一方、データ側制御回路１９は駆動制御回路２６に接続されている。
【００２３】
駆動制御回路２６は外部より入力される入力信号に応じて液晶表示装置１の各部の動作タイミングを制御する。変調駆動電源回路２３は外部より入力される駆動回路用電圧を変調基準電圧に変換すると共に、ランプ波を生成する。データ側駆動回路１７は、変調駆動電源回路２３で発生させたランプ波並びに駆動制御回路２６から入力される制御信号と表示データ信号とに応じて、変調駆動電源回路２３で発生させた変調基準電圧をソースライン１１に印加する。一方、書き込み駆動電源回路２０は、外部より入力される駆動回路用電圧を正極性のパルス状の書き込み電圧に変換する。走査側駆動回路１４は、書き込み駆動電源回路２０で発生させた書き込み電圧を、駆動制御回路２６から入力される制御信号に応じてゲートライン１０に印加する仕組みとなっている。
【００２４】
以上説明した、図１に示す液晶表示装置１の主要部材は、図３に示すように、表示領域ＤＲが露出するように筐体２に収納されている。
【００２５】
尚、液晶表示装置１は、ノーマリーブラックの１Ｈライン反転駆動される表示装置である。すなわち、１走査ごとにソースライン１１に印加する電圧の極性を反転させて、隣接するゲートライン１０に接続された画素電極１３相互間で印加される電圧の極性が相互に異なるようにソースライン１１に電圧を印加して駆動されるものである。
【００２６】
次に、本実施形態１に係る液晶表示装置１の製造方法について詳細に説明する。詳細には、液晶表示装置１の組み立て後、上部共通電極から液晶層へ印加する電圧を調整する調整工程について詳細に説明する。
【００２７】
図４は調整工程における液晶表示装置１の状態を表す正面図である。
【００２８】
まず、表示領域ＤＲに図４に示すような、黒色表示部と中間色表示部とがソースライン１１の延びる方向に沿って千鳥状に配列されたフリッカパターンを表示させる。
【００２９】
具体的には、例えば、フリッカパターンは以下のような制御により表示される。すなわち、奇数フレームの奇数番目のゲートライン１０に対応するタイミングには、表示領域ＤＲのうちゲートライン１０の基端寄り半分の領域を通過するソースライン１１には電圧を印加せず（すなわち、奇数番目のゲートライン１０の基端寄り半分に電気的に接続された画素電極１３には電圧を印加せず、対応する画素に黒表示をさせ）、ゲートライン１０の先端寄り半分の領域を通過するソースライン１１にはプラスの極性の中間調電圧を印加して（すなわち、奇数番目のゲートライン１０の先端寄り半分に電気的に接続された画素電極１３にプラスの極性の中間調電圧を印加して）、対応する画素に中間調表示をさせる。
【００３０】
一方、奇数フレームの偶数番目のゲートライン１０に対応するタイミングには、表示領域ＤＲのうちゲートライン１０の先端寄り半分の領域を通過するソースライン１１には電圧を印加せず（すなわち、奇数番目のゲートライン１０の先端寄り半分に電気的に接続された画素電極１３には電圧を印加せず、対応する画素に黒表示をさせ）、ゲートライン１０の基端寄り半分の領域を通過するソースライン１１にはマイナスの極性の中間調電圧を印加して（すなわち、奇数番目のゲートライン１０の基端寄り半分に電気的に接続された画素電極１３にマイナスの極性の中間調電圧を印加して）、対応する画素に中間調表示をさせる。
【００３１】
それに対して、偶数フレーム奇数番目のゲートライン１０に対応するタイミングには、表示領域ＤＲのうちゲートライン１０の基端寄り半分の領域を通過するソースライン１１には電圧を印加せず（すなわち、奇数番目のゲートライン１０の基端寄り半分に電気的に接続された画素電極１３には電圧を印加せず、対応する画素に黒表示をさせ）、ゲートライン１０の先端寄り半分の領域を通過するソースライン１１にはマイナスの極性の中間調電圧を印加して（すなわち、奇数番目のゲートライン１０の先端寄り半分に電気的に接続された画素電極１３にマイナスの極性の中間調電圧を印加して）、対応する画素に中間調表示をさせる。
【００３２】
一方、奇数フレームの偶数番目のゲートライン１０に対応するタイミングには、表示領域ＤＲのうちゲートライン１０の先端寄り半分の領域を通過するソースライン１１には電圧を印加せず（すなわち、奇数番目のゲートライン１０の先端寄り半分に電気的に接続された画素電極１３には電圧を印加せず、対応する画素に黒表示をさせ）、ゲートライン１０の基端寄り半分の領域を通過するソースライン１１にはプラスの極性の中間調電圧を印加して（すなわち、奇数番目のゲートライン１０の基端寄り半分に電気的に接続された画素電極１３にプラスの極性の中間調電圧を印加して）、対応する画素に中間調表示をさせる。
【００３３】
すなわち、奇数番目のゲートライン１０に対応するタイミングには、表示領域ＤＲのうちゲートライン１０の基端寄り半分の領域を通過するソースライン１１に電圧を印加せず、先端寄り半分の領域を通過するソースライン１１には中間調電圧をフレーム毎に極性を反転させて印加する。そして、偶数番目のゲートライン１０に対応するタイミングには、表示領域のうちゲートライン１０の先端寄り半分の領域を通過するソースライン１１に電圧を印加せず、基端寄り半分の領域を通過するソースライン１１には、同じフレームにおいて先端寄り半分の領域を通過するソースライン１１に印加される電圧と逆極性となるように中間調電圧をフレーム毎に極性を反転させて印加する。
【００３４】
このようにしてフリッカパターンを表示させた状態で、上部共通電極に印加する電圧を調整し、フリッカ領域ＦＲに表示されたフリッカパターンの変化を目視観察（又は、測定機器により測定）する。そして、フリッカが最小となる上部共通電極に印加する電圧を検出し、設定する。このような調整工程を行うことによってフリッカが抑制された液晶表示装置１を製造することができる。
【００３５】
例えば、奇数番目のゲートライン１０に電気的に接続されたすべての画素電極１３に電圧を印加せず、偶数番目のゲートライン１０に電気的に接続されたすべての画素電極１３に中間調電圧を印加することによりフリッカパターンを表示した場合、１フレーム期間という比較的長い期間に亘って所定の極性の電圧を維持する必要がある。このため、データ側駆動回路１７等の各回路に偏った負荷がかかることとなる。データ側駆動回路１７等の各回路に偏った負荷がかかると、基準電圧のＤＣレベルが画像を表示させるとき（１Ｈ反転駆動するとき）の基準電圧のＤＣレベルからずれてしまう。このため、上部共通電極に印加する電圧を精密且つ正確に調整・設定することが困難となる。
【００３６】
それに対して、本実施形態のように、同じフレームにおいて、ゲートライン１０毎に、それぞれ半分のソースライン１１に極性を反転させて中間調電圧を印加することによりフリッカパターンを表示させた場合は、１フレーム期間にわたって同一極性の電圧を維持する必要はない。そして、一方の極性（例えば、プラス）の中間調電圧がソースライン１１に印加される奇数番目のゲートライン１０に対応するタイミングと、他方の極性（例えば、マイナス）の中間調電圧がソースライン１１に印加される偶数番目のゲートライン１０に対応するタイミングとで各回路にかかる負荷が相互にキャンセルされる。よって、データ側駆動回路１７等の各回路にかかる負荷を低減することができる。従って、調整工程における基準電圧のＤＣレベルが、画像を表示させるときの基準電圧のＤＣレベルからずれることを抑制することができる。その結果、上部共通電極に印加する電圧を精密且つ正確に調整・設定することが可能となり、フリッカが十分に抑制された液晶表示装置１を実現することが可能となる。
【００３７】
尚、本実施形態では、フリッカ画面を表示する領域を、ゲートライン１０の基端寄り半分の領域と先端寄り半分の領域というように二分して表示した。しかし、二分であることは必ずしも必要でなく、必要に応じて三や四といった領域に分割しても構わない。その際、分割された領域のそれぞれは、あるフレームにおいて、奇数番目のゲートライン１０に電気的に接続された画素電極１３に電圧が印加されず、偶数番目のゲートライン１０に電気的に接続された画素電極１３にプラスの中間調電圧が印加される第１の表示領域と、そのフレームにおいて、偶数番目のゲートライン１０に電気的に接続された画素電極１３に電圧が印加されず、奇数番目のゲートライン１０に電気的に接続された画素電極１３にマイナスの中間調電圧が印加される第２の表示領域とのうちのいずれかのグループに属することになるが、第１の表示領域と第２の表示領域の面積がほぼ等しいことが望ましい。
【００３８】
さらに、望ましい形態としては、ゲートラインの基端寄り４分の１の領域と先端寄り４分の１の領域とを第１の表示領域とし、残りの領域である画面中央の帯状領域を第２の表示領域とすることが望ましい。このことにより、上述と同様に負荷の偏りを回避できるとともに、フリッカの有無を目視または機械で確認する部分として、画面の中央で比較的広い面積を用いた状態でのフリッカ確認ができるため、さらに精度の高い調整が可能となる。
【００３９】
尚、本実施形態では、ランプ波形を用いて変調基準電圧を生成する方法を例に挙げて説明したが、例えば、ＲＤＡＣ法等を用いてもよい。尚、「ＲＤＡＣ法」とは、外部から供給した複数の基準電圧を複数の直列抵抗で接続し、表示データ信号に応じて複数の直列抵抗のいずれかを選択することによって所望の電圧値を得る方法をいう。このＲＤＡＣ法を用いた場合でも、基準電圧を供給する側のバッファ回路にかかる負荷に偏りが生じると、フリッカパターン表示時の基準電圧や選択されるべき電圧が駆動時の基準電圧や選択されるべき電圧からずれるという現象が生じる。しかしながら、このＲＤＡＣ法を適用した場合においても、本実施形態のようなフリッカパターンを表示させることにより基準電圧等のずれを抑制することができる。このため、フリッカが十分に抑制された表示装置を実現することができる。
【００４０】
以上、液晶表示装置を例に挙げて本発明に係る好ましい実施形態について説明したが、本発明は液晶表示装置に限定されるものではない。本発明は、アクティブマトリクス基板を備えた表示装置全般に好適に適用されるものであり、例えば、有機エレクトロルミネッセンス表示装置、無機エレクトロルミネッセンス表示装置、プラズマ表示装置、フィールドエミッション表示装置等にも適用可能である。
【００４１】
また、上記実施形態では１Ｈライン反転駆動される表示装置を例に挙げて説明したが、本発明はこれに限定されるものではなく、例えばｎＨライン反転駆動（ｎ＝２、３、４、５／・・）される表示装置にも適用されるものである。
【００４２】
また、本発明はライン反転駆動される表示装置に限定されるものではない。複数のゲートラインの極性が交互に異なるようにソースラインに電圧を印加して駆動される表示装置であればよく、例えばドット反転駆動される表示装置にも適用される。
【００４３】
また、本発明はノーマリーブラックの液晶表示装置に限定されるものではなく、例えばノーマリーホワイトの液晶表示装置にも適用される。
【産業上の利用可能性】
【００４４】
以上説明したように、本発明に係る製造方法によれば、フリッカが十分に抑制された表示装置を製造することができるため、携帯電話、ＰＤＡ、テレビ、電子ブック、モニター、電子ポスター、時計、電子棚札、非常案内等に有用である。
【図面の簡単な説明】
【００４５】
【図１】液晶表示装置１の主要部材の構成を表す図である。
【図２】図１中の点線ＩＩで囲われた部分の拡大図である。
【図３】液晶表示装置１の正面図である。
【図４】調整工程における液晶表示装置１の状態を表す正面図である。
【符号の説明】
【００４６】
１      液晶表示装置
２      筐体
１０      ゲートライン
１１      ソースライン
１２      スイッチング素子
１３      画素電極
１４      走査側駆動回路
１５      走査側ドライバ
１６      走査側制御回路
１７      データ側駆動回路
１８      データ側ドライバ
１９      データ側制御回路
２０      書き込み駆動電源回路
２１      書き込み駆動電圧生成回路
２２      書き込み電源回路
２３      変調駆動電源回路
２４      変調電圧選択回路
２５      変調電源回路
２６      駆動制御回路
【図１】
2007171358.tif 000003
【図２】
2007171358.tif 000004
【図３】
2007171358.tif 000005
【図４】
2007171358.tif 000006